(57)【要約】【課題】多層情報記録媒体の信頼性を向上させる。【解決手段】多層情報記録媒体６００は、データ読出し側表面と、青紫色の光ビームによって読み出されるデータが記録される８層の記録層６０１〜６０８とを備える。記録層６０１〜６０８の各々は、ユーザデータ領域６１０を有しており、データ読出し側表面からの距離が最も大きな記録層６０１が、全記録層６０１〜６０８に関する管理情報を記録するディスク情報領域２６および欠陥管理領域２７を含んでいる。【選択図】図６
2007012248.tif 000002
【特許請求の範囲】
【請求項１】
データ読出し側表面と、
同一波長の光ビームによって読み出されるデータが記録される３層以上の記録層と、
を備え、
各記録層は、ユーザデータ領域を有し、
前記３層以上の記録層のうちで前記データ読出し側表面からの距離が最も大きな記録層が、全記録層に関する管理情報を記録する管理情報領域を含んでいる、多層情報記録媒体。
【請求項２】
前記３層以上の記録層のうちで前記データ読出し側表面からの距離が最も小さな記録層には、全記録層に関する管理情報を記録する管理情報領域が設けられていない、請求項１に記載の多層情報記録媒体。
【請求項３】
前記管理情報領域は、前記記録層へのアクセスに関するパラメータおよび前記記録層に関する物理的な特性に関する情報が格納されたディスク情報領域を含む請求項１に記載の多層情報記録媒体。
【請求項４】
前記管理情報領域は、前記ユーザデータ領域中の欠陥場所を管理する欠陥管理領域を含み、
前記欠陥管理領域は、全ての記録層の欠陥場所と代替場所とが対応付けられた欠陥リストを含む請求項１に記載の多層情報記録媒体。
【請求項５】
前記管理情報領域は、前記ユーザデータ領域中の欠陥場所を管理する欠陥管理情報を記録する欠陥管理作業領域を少なくとも１つ割り付けることができる欠陥管理作業領域群を含み、
前記欠陥管理作業領域は、全ての記録層の欠陥場所と代替場所とが対応付けられた欠陥リストを含む請求項１に記載の多層情報記録媒体。
【請求項６】
前記管理情報領域は、前記３層以上の記録層の記録状態を示す記録管理情報が格納された記録管理領域を含む請求項１に記載の多層情報記録媒体。
【請求項７】
前記データ読出し側表面からの距離が最も大きな記録層は、前記ユーザデータ領域において少なくとも１つの欠陥領域がある場合において、前記欠陥領域の代わりに使用され得る少なくとも１つの交替領域を含む少なくとも１つのスペア領域をさらに含む、請求項１に記載の多層情報記録媒体。
【請求項８】
データ読出し側表面と、
同一波長の光ビームによって読み出されるデータが記録される３層以上の記録層と、
を備え、
各記録層は、ユーザデータ領域を有し、
前記３層以上の記録層のうち、前記ユーザデータ領域に音響映像データが記録されている記録層は、前記ユーザデータ領域に音響映像データ以外のデータが記録されている記録層に比べて前記データ読出し側表面からの距離が大きくない位置に設けられている、多層情報記録媒体。
【請求項９】
前記音響映像データ以外のデータはコンピュータデータである請求項８に記載の多層情報記録媒体。
【請求項１０】
複数の記録層を有する多層情報記録媒体から情報を再生すること、および前記多層情報記録媒体に情報を記録することの少なくとも一方を実行する情報装置であって、
前記多層情報記録媒体を回転させるモータと、
前記多層情報記録媒体の任意の記録層に光ビームを集束させ、前記記録層からの反射光を検知する光ピックアップと、
前記光ピックアッブの出力に基づいて前記多層情報記録媒体に記録されている情報を再生する信号処理部と、
を備え、
前記多層情報記録媒体が同一波長の光ビームによって読み出されるデータが記録される３層以上の記録層を備える場合、前記３層以上の記録層のうちで前記データ読出し側表面からの距離が最も大きな記録層に前記光ビームの集束点を移動させ、全記録層に関する管理情報を記録する管理情報領域から前記管理情報を読み出す、情報装置。
【請求項１１】
前記多層情報記録媒体が備える３層以上の記録層のうちで前記データ読出し側表面からの距離が最も大きな記録層に前記光ビームの集束点を移動させ、前記管理情報領に記録されている管理情報を更新する、請求項１０に記載の情報装置。
【請求項１２】
３層以上の記録層を有する多層情報記録媒体から情報を再生すること、および前記多層情報記録媒体に情報を記録することの少なくとも一方を実行する情報装置であって、
前記多層情報記録媒体を回転させるモータと、
前記多層情報記録媒体の任意の記録層に光ビームを集束させ、前記記録層からの反射光を検知する光ピックアップと、
前記光ピックアッブの出力に基づいて前記多層情報記録媒体に記録されている情報を再生する信号処理部と、
前記多層情報記録媒体のユーザデータ領域に書き込むべきデータが音響映像データか否かを判別する手段と、
前記書き込むべきデータが音響映像データでないと判定された場合は、前記多層情報記録媒体のうちで使用可能なユーザデータ領域のうち、前記多層情報記録媒体のデータ読出し側表面からの距離が最も大きな記録層のユーザデータ領域から記録領域を割り当て、前記書き込むべきデータが音響映像データである場合は、前記多層情報記録媒体のデータ読出し側表面からの距離が最も小さな記録層のユーザデータ領域から記録領域を割り当てる手段と、
を備える情報装置。
【発明の詳細な説明】
【技術分野】
【０００１】
本発明は、多層情報記録媒体および情報装置に関する。
【背景技術】
【０００２】
公知の光ディスクは、セクタ構造を有する情報記録媒体である。光ディスクは、その特性によって、大きく３種類に分類され得る。１つめは、データがディスクの凹凸によって記録されており、ユーザが新たにデータの記録ができない再生専用ディスクである。２つめは、有機色素等を記録膜として備え、１度のみ記録が可能な追記型ディスクである。３つめは、相変化材料等を記録膜として備え、複数回の記録（書換え）が可能な書換え型ディスクである。
【０００３】
近年、オーディオやビデオなどの音響映像データ（以下、「ＡＶデータ」と称する。）がディジタル化され、放送または配信されるようになってきたため、より高密度で大容量な光ディスクが要望されている。記憶容量を大きくする上で、記録層を複数にすることが有用である。例えば、ＤＶＤの再生専用ディスクでは、１枚の光ディスクに２つの記録層を形成することにより、容量を約２倍にすることができている。
【０００４】
また、光ディスクの容量拡大に伴い、ＤＶＤなどビデオ記録用に用途が拡大されている。コンピュータデータ記録用のデータ（以下、「ＰＣデータ」と称する。）は、わずかの誤りも許容されないので、信頼性の高い記録が必要である。例えば、ＰＣデータは、データファイルや、ファイル管理情報、番組管理情報などである。これに対して、ビデオ記録用やオーディオ記録用に使用されるＡＶデータは、連続的に入力されるデータをリアルタイムに記録する必要がある。ただし、再生した映像や音声が感覚的に許容できる程度の乱れなら許される場合もあり、コンピュータデータ記録用のファイルほどのデータ信頼性がなくてもよく、その代り、記録が中断しないことの方が重要である。言い換えると、ＰＣデータ記録用のストレージ機器では多少時間がかかっても信頼性が重視され、ＡＶデータ記録用のストレージ機器では連続記録性能が重視されるというように、異なる性能が要求されている。
【０００５】
図１を参照して、２層の記録層を持つ光ディスクからデータを再生する場合の原理を説明する。図示される光ディスクは、スパイラル状のトラック溝が形成された一対の透明基板を備えており、これらの透明基板が、２つの記録層を支持している。透明基板は、２つの記録層の間に充填された透明な光硬化樹脂を介して張り合わされ、１枚の光ディスクを構成している。
【０００６】
ここでは、説明の便宜上、データ読出し側表面からの距離が長い方を１層目の記録層、短い方を２層目の記録層と呼ぶことにする。２層目の記録層は、入射光を半分反射して半分透過するように厚みや組成を調整されている。１層目の記録層は、入射光を全て反射するように、厚みや組成を調整されている。レーザ光を収束する対物レンズを光ディスクに近づけたり遠ざけたりすることによって、レーザ光のビームスポット（焦点）を、１層目または２層目の記録層に収束させることができる。
【０００７】
図２は、従来の書換え型光ディスクが備える記録層２１の領域レイアウトを示す。図２に示す記録層２１においてリードイン領域２２の中には、ディスク情報領域２６と欠陥管理領域２７（以下、ＤＭＡと呼ぶ）が設けられている。又、リードアウト領域２５の中には、欠陥管理領域２７が設けられている。又、リードイン領域２２とユーザデータ領域２４との間と、ユーザデータ領域２４とリードアウト領域２５との間には、それぞれスペア領域２３が設けられる。
【０００８】
ディスク情報領域２６は、光ディスクのデータの記録再生に必要なパラメータや物理的な特性に関する情報が格納されている。
【０００９】
欠陥管理領域２７とスペア領域２３とは、ユーザデータ領域２４上の記録再生が正しくできないセクタ（これを欠陥セクタと呼ぶ）を、状態のよい他のセクタで交替する欠陥管理の為に用意された領域である。
【００１０】
スペア領域２３は、欠陥セクタを交替するためのセクタ（スペアセクタと呼ぶ。また特に欠陥セクタと交替済みのセクタを交替セクタと呼ぶ）を含む領域である。ＤＶＤ−ＲＡＭではユーザデータ領域２４の内周側と外周側との２箇所にスペア領域２３は配置され、欠陥セクタが予想以上に増加した場合に対応できるように外周側に配置されたスペア領域２３はサイズを拡張できるようになっている。
【００１１】
欠陥管理領域２７は、スペア領域２３のサイズや配置場所の管理を含む欠陥管理に関するフォーマットを保持するディスク定義構造（ＤＤＳ）２８と、欠陥セクタの位置とその交替セクタの位置をリストアップした欠陥リスト（ＤＬ）２９とを含む。欠陥管理領域２７については、ロバストネスを考慮して、同じ内容を、内周側と外周側の欠陥管理領域２７のそれぞれに２重ずつの計４重で記録する仕様の光ディスクが多い（例えば特許文献１参照）。
【００１２】
一方、追記型の媒体では、一度記録した情報を消すことができない。この特性のために、以前に記録した情報を書き換える代わりに、他の場所に新しい情報を継ぎ足す（追記する）。このため、追記型の媒体は、書換え型の媒体とは異なる管理情報を有する。
【００１３】
図３は、従来の追記型光ディスクであるＤＶＤ−Ｒが備える記録層３０１の領域レイアウトを示す。図３に示す記録層３０１は、内周から外周へ向かって、Ｒ情報領域３０２（以下、Ｒ−Ｉｎｆｏと記す）と、リードイン領域３０３と、ユーザデータ領域３０４およびリードアウト領域３０５を含む。
【００１４】
リードイン領域３０３の中には、ディスク情報領域３２０が設けられている。
【００１５】
Ｒ−Ｉｎｆｏ３０２は、追記型ディスクに特有の領域であり、Ｒ−Ｉｎｆｏ３０２の中には、記録管理領域３１０（以下、ＲＭＡと記す）を含む。
【００１６】
ＲＭＡ３１０は、ディスクの記録状態を表している記録管理データ３１１（以下、ＲＭＤと記す）から構成される。最新のＲＭＤ３１１を取得することにより、追記可能なアドレスなどを取得することができる。
【００１７】
また、ＤＶＤ＋ＲＷの場合であれば、ＦＤＣＢ（Ｆｏｒｍａｔ Ｄｉｓｃ Ｃｏｎｔｒｏｌ Ｂｌｏｃｋ）の情報、ＤＶＤ＋Ｒの場合であれば、ＳＤＣＢ（Ｓｅｓｓｉｏｎ Ｄｉｓｃ Ｃｏｎｔｒｏｌ Ｂｌｏｃｋ）の情報を参照することで、上記情報が得られる。
【００１８】
図４は、欠陥管理情報を含む従来の追記型光ディスクの記録層４０１の領域レイアウトを示す。図４に示す記録層４０１は、内周から外周へ向かって、リードイン領域４０２と、スペア領域４０３と、ユーザデータ領域４０４およびリードアウト領域４０５を含む。
【００１９】
リードイン領域４０２の中には、ディスク情報領域４２０と欠陥管理領域４３０と欠陥管理作業領域群４４０（以下、ＴＤＭＡと記す）が設けられている。又、リードアウト領域４０５の中には、欠陥管理領域４３０が設けられている。また、リードイン領域４０２とユーザデータ領域４０４との間と、ユーザデータ領域４０４とリードアウト領域４０５との間には、それぞれスペア領域４０３が設けられる。
【００２０】
追記型光ディスクの場合は、ＤＭＡへの記録も１回しか出来ないため、書換え型光ディスクと同様の方法で常に所定位置のＤＭＡへ最新の欠陥管理情報を記録しておくことは出来ない。そのため、書き換え型の光ディスクとの互換をとるためにＴＤＭＡを設けている。
【００２１】
ＴＤＭＡ４４０は、Ｎ個（Ｎは１以上の正数）の欠陥管理作業領域４４１（以下、ＴＤＭＳと記す）から構成される。ＴＤＭＳ４４１は、追記型の光ディスクに対してファイナライズ（追記型の光ディスクを書換え型の光ディスクと互換のあるデータ構造にするもので、最新のＴＤＭＳ４４１の内容をＤＭＡ記録すること）を実施する以前において更新された欠陥管理情報を一時的に記録するための領域であり、欠陥セクタの位置とその交替セクタの位置をリストアップした一時欠陥リスト（以下、ＴＤＬと記す）４４２と、一時欠陥リスト４４２の先頭位置の情報である一時欠陥リスト先頭位置情報などを含む一時ディスク定義構造（以下、ＴＤＤＳと記す）４４３から構成される。
【００２２】
また、ディスク情報領域（図２の２６、図３の３２０、図４の４２０）は、凹凸ピットにより情報が記録されているか、ディスク出荷前等に、データ領域に記録を行う方法と同じ方法でディスク情報領域にプリ記録がなされている。
【００２３】
また、欠陥管理情報（ＤＤＳ、ＤＬ、ＴＤＬ、または、ＴＤＤＳ）や、記録管理データ（ＲＭＤ、ＦＤＣＢ，または、ＳＤＣＢ）は、ディスク出荷後に、光ディスクドライブなどにより記録される。
【００２４】
特許文献２は、複数の記録層を備える多層情報記録媒体を開示している。特許文献２は、管理情報を特定の記録層に設けることを教示している。
【特許文献１】特開２００３−２８８７５９号公報
【特許文献２】特開２００４−２０６８４９号公報
【発明の開示】
【発明が解決しようとする課題】
【００２５】
複数の記録層を持つ追記型または書換え型多層光ディスクにおいて、データ読出し側表面からの距離が短い記録層ほど、ディスク表面の傷、指紋およびゴミなどがあった場合に信頼性が低く、光ディスクからデータの再生が不可能な場合があるという問題がある。図５に示すように、ディスク表面の傷、指紋およびゴミなどが再生光に大きく影響するためである。
【００２６】
例えば、欠陥管理情報（ＤＤＳ、ＤＬ、ＴＤＬ、または、ＴＤＤＳ）や、交替セクタが再生できない場合には、情報記録媒体に記録されたユーザデータを再生できないという問題がある。
【００２７】
記録管理データ（ＲＭＤ，ＦＤＣＢ，ＳＤＣＢなど）は、上述したように、光ディスクの記録状態を示す重要な管理情報であるので、再生することができなければ、その光ディスクにはさらにデータを追記することができない。その結果、大容量であるという特徴を活かすことができなくなる。ディスクの記憶容量が大きければ大きいほど、その損失は大きくなる。
【００２８】
ファイル管理情報が再生することができなければ、ファイルのデータ自体にアクセスすることができなくなり、ファイルのデータを利用できないという問題がある。また、データファイル（例えば、ワードプロセッサのデータファイルなど）は、一部が読み出せないとファイル全体が読めないなどの問題がある。
【００２９】
特許文献２は、管理情報領域を特定の記録層に設けることを開示しているが、そのような特定の記録層としては、光ディスクのチルトによる悪影響が小さい位置の記録層を選択すべきことを教示している。光ディスクのチルトによる悪影響は、ディスク読み出し側表面から深くなるほど大きくなる。したがって、特許文献２の教示に基づけば、管理情報領域はデータ読出し側表面に最も近い記録層に設けることが好ましいとの結論が導かれる。しかし、上述したように、データ読出し側表面から記録層までの距離が短くなるほど、ディスク表面の傷や指紋の影響を受けやすくなるという問題がある。
【００３０】
本発明の目的は、上記問題を鑑みてなされたものであり、信頼性の高い多層情報記録媒体および情報装置を提供することにある。
【課題を解決するための手段】
【００３１】
本発明による多層情報記録媒体は、データ読出し側表面と、同一波長の光ビームによって読み出されるデータが記録される３層以上の記録層とを備え、各記録層は、ユーザデータ領域を有し、前記３層以上の記録層のうちで前記データ読出し側表面からの距離が最も大きな記録層が、全記録層に関する管理情報を記録する管理情報領域を含んでいる。
【００３２】
好ましい実施形態において、前記３層以上の記録層のうちで前記データ読出し側表面からの距離が最も小さな記録層には、全記録層に関する管理情報を記録する管理情報領域が設けられていない。
【００３３】
好ましい実施形態において、前記管理情報領域は、前記記録層へのアクセスに関するパラメータおよび前記記録層に関する物理的な特性に関する情報が格納されたディスク情報領域を含む。
【００３４】
好ましい実施形態において、前記管理情報領域は、前記ユーザデータ領域中の欠陥場所を管理する欠陥管理領域を含み、前記欠陥管理領域は、全ての記録層の欠陥場所と代替場所とが対応付けられた欠陥リストを含む。
【００３５】
好ましい実施形態において、前記管理情報領域は、前記ユーザデータ領域中の欠陥場所を管理する欠陥管理情報を記録する欠陥管理作業領域を少なくとも１つ割り付けることができる欠陥管理作業領域群を含み、前記欠陥管理作業領域は、全ての記録層の欠陥場所と代替場所とが対応付けられた欠陥リストを含む。
【００３６】
好ましい実施形態において、前記管理情報領域は、前記３層以上の記録層の記録状態を示す記録管理情報が格納された記録管理領域を含む。
【００３７】
好ましい実施形態において、前記データ読出し側表面からの距離が最も大きな記録層は、前記ユーザデータ領域において少なくとも１つの欠陥領域がある場合において、前記欠陥領域の代わりに使用され得る少なくとも１つの交替領域を含む少なくとも１つのスペア領域をさらに含む。
【００３８】
本発明による他の多層情報記録媒体は、データ読出し側表面と、同一波長の光ビームによって読み出されるデータが記録される３層以上の記録層とを備え、各記録層は、ユーザデータ領域を有し、前記３層以上の記録層のうち、前記ユーザデータ領域に音響映像データが記録されている記録層は、前記ユーザデータ領域に音響映像データ以外のデータが記録されている記録層に比べて前記データ読出し側表面からの距離が大きくない位置に設けられている。
【００３９】
好ましい実施形態において、前記音響映像データ以外のデータはコンピュータデータである。
【００４０】
本発明による情報装置は、複数の記録層を有する多層情報記録媒体から情報を再生すること、および前記多層情報記録媒体に情報を記録することの少なくとも一方を実行する情報装置であって、前記多層情報記録媒体を回転させるモータと、前記多層情報記録媒体の任意の記録層に光ビームを集束させ、前記記録層からの反射光を検知する光ピックアップと、前記光ピックアッブの出力に基づいて前記多層情報記録媒体に記録されている情報を再生する信号処理部とを備え、前記多層情報記録媒体が同一波長の光ビームによって読み出されるデータが記録される３層以上の記録層を備える場合、前記３層以上の記録層のうちで前記データ読出し側表面からの距離が最も大きな記録層に前記光ビームの集束点を移動させ、全記録層に関する管理情報を記録する管理情報領域から前記管理情報を読み出す。
【００４１】
好ましい実施形態において、前記多層情報記録媒体が備える３層以上の記録層のうちで前記データ読出し側表面からの距離が最も大きな記録層に前記光ビームの集束点を移動させ、前記管理情報領に記録されている管理情報を更新する。
【００４２】
本発明による他の情報装置は、３層以上の記録層を有する多層情報記録媒体から情報を再生すること、および前記多層情報記録媒体に情報を記録することの少なくとも一方を実行する情報装置であって、前記多層情報記録媒体を回転させるモータと、前記多層情報記録媒体の任意の記録層に光ビームを集束させ、前記記録層からの反射光を検知する光ピックアップと、前記光ピックアッブの出力に基づいて前記多層情報記録媒体に記録されている情報を再生する信号処理部と、前記多層情報記録媒体のユーザデータ領域に書き込むべきデータが音響映像データか否かを判別する手段と、前記書き込むべきデータが音響映像データでないと判定された場合は、前記多層情報記録媒体のうちで使用可能なユーザデータ領域のうち、前記多層情報記録媒体のデータ読出し側表面からの距離が最も大きな記録層のユーザデータ領域から記録領域を割り当て、前記書き込むべきデータが音響映像データである場合は、前記多層情報記録媒体のデータ読出し側表面からの距離が最も小さな記録層のユーザデータ領域から記録領域を割り当てる手段とを備える。
【００４３】
本発明の情報再生方法は、複数の記録層を備えた多層情報記録媒体から情報を読み出す情報再生方法であって、前記多層情報記録媒体は、１つ以上の管理情報領域と、ユーザデータを読み書きするユーザデータ領域とを含み、前記管理情報領域は、前記多層情報記録媒体のデータ読出し側表面からの距離が最も長い記録層に少なくとも１つ設けられており、前記情報再生方法は、前記多層情報記録媒体のデータ読出し側表面からの距離が最も長い記録層にレーザ光の焦点を追随させ、管理情報を取得するステップを含む。
【００４４】
本発明の情報記録方法は、複数の記録層を備えた多層情報記録媒体に情報を記録するための情報記録方法であって、前記多層情報記録媒体は、１つ以上の管理情報領域と、ユーザデータを読み書きするユーザデータ領域とを含み、前記管理情報領域は、前記多層情報記録媒体のデータ読出し側表面からの距離が最も長い記録層に少なくとも１つ設けられており、前記情報記録方法は、前記多層情報記録媒体のデータ読出し側表面からの距離が最も長い記録層にレーザ光の焦点を追随させ、管理情報を更新するステップを含む。
【００４５】
本発明の情報記録方法は、複数の記録層を備えた多層情報記録媒体に情報を記録するための情報記録方法であって、前記多層情報記録媒体は、ユーザデータを読み書きするユーザデータ領域と、前記ユーザデータ領域において少なくとも１つの欠陥領域がある場合に前記少なくとも１つの欠陥領域の代わりに使用され得る少なくとも１つの交替領域を含む１つ以上のスペア領域とを含み、前記スペア領域は、前記多層情報記録媒体のデータ読出し側表面からの距離が最も長い記録層に設けられており、前記情報記録方法は、前記ユーザデータ領域において欠陥領域がある場合に、前記１つ以上のスペア領域のうち使用可能な少なくとも１つのスペア領域を特定するステップと、前記特定した少なくとも１つのスペア領域に含まれる交替領域と交替するステップとを含む。
【００４６】
好ましい実施形態において、前記情報記録方法は、前記特定した少なくとも１つのスペア領域のうち、前記欠陥領域からの距離が最も短いスペア領域を特定するステップをさらに含む。
【００４７】
本発明の情報記録方法は、複数の記録層を備えた多層情報記録媒体に情報を記録するための情報記録方法であって、前記多層情報記録媒体は、ユーザデータを読み書きするユーザデータ領域と、前記ユーザデータ領域において少なくとも１つの欠陥領域がある場合に前記少なくとも１つの欠陥領域の代わりに使用され得る少なくとも１つの交替領域を含む１つ以上のスペア領域とを含み、前記情報記録方法は、前記ユーザデータ領域において欠陥領域がある場合に、（ａ）前記１つ以上のスペア領域のうち使用可能な少なくとも１つのスペア領域を特定するステップと、（ｂ）前記ステップ（ａ）によって特定した少なくとも１つのスペア領域のうち、前記多層情報記録媒体のデータ読出し側表面からの距離が最も長い記録層の使用可能な少なくとも１つのスペア領域を特定するステップと、（ｃ）前記ステップ（ｂ）によって特定した少なくとも１つのスペア領域に含まれる交替領域と交替するステップとを含む。
【００４８】
好ましい実施形態において、前記情報記録方法は、前記ステップ（ｂ）によって特定した少なくとも１つのスペア領域のうち、前記欠陥領域からの距離が最も短いスペア領域を特定するステップをさらに含む。
【００４９】
本発明の情報記録方法は、複数の記録層を備えた多層情報記録媒体に情報を記録するための情報記録方法であって、前記多層情報記録媒体は、ユーザデータを読み書きするユーザデータ領域を含み、前記情報記録方法は、前記多層情報記録媒体に書き込むべきデータが、信頼性が必要な第１データおよび前記第１データより信頼性を必要としない第２データかを判定するステップと、書き込むべきデータが前記第１データと判定された場合に、
使用可能な前記ユーザデータ領域のうち、前記多層情報記録媒体のデータ読出し側表面からの距離が最も長い記録層の前記ユーザデータ領域から記録領域を割り当てるステップと、書き込むべきデータが前記第２データと判定された場合に、使用可能な前記ユーザデータ領域のうち、前記多層情報記録媒体のデータ読出し側表面からの距離が最も短い記録層の前記ユーザデータ領域から記録領域を割り当てるステップとを含む。
【００５０】
本発明の情報記録装置は、複数の記録層を備えた多層情報記録媒体に情報を記録するための情報記録装置であって、前記多層情報記録媒体は、ユーザデータを読み書きするユーザデータ領域と、前記ユーザデータ領域において少なくとも１つの欠陥領域がある場合に前記少なくとも１つの欠陥領域の代わりに使用され得る少なくとも１つの交替領域を含む１つ以上のスペア領域とを含み、前記スペア領域は、前記多層情報記録媒体のデータ読出し側表面からの距離が最も長い記録層に設けられており、前記情報記録装置は、前記ユーザデータ領域において欠陥領域がある場合に、前記１つ以上のスペア領域のうち使用可能な少なくとも１つのスペア領域を特定する手段と、前記特定した少なくとも１つのスペア領域に含まれる交替領域と交替する手段とを含む。
【００５１】
好ましい実施形態において、前記情報記録装置は、前記特定した少なくとも１つのスペア領域のうち、前記欠陥領域からの距離が最も短いスペア領域を特定する手段をさらに含むことを特徴とする。
【００５２】
本発明の情報記録装置は、複数の記録層を備えた多層情報記録媒体に情報を記録するための情報記録装置であって、前記多層情報記録媒体は、ユーザデータを読み書きするユーザデータ領域と、前記ユーザデータ領域において少なくとも１つの欠陥領域がある場合に前記少なくとも１つの欠陥領域の代わりに使用され得る少なくとも１つの交替領域を含む１つ以上のスペア領域とを含み、前記情報記録装置は、前記ユーザデータ領域において欠陥領域がある場合に、（ａ）前記１つ以上のスペア領域のうち使用可能な少なくとも１つのスペア領域を特定する手段と、（ｂ）前記手段（ａ）によって特定した少なくとも１つのスペア領域のうち、前記多層情報記録媒体のデータ読出し側表面からの距離が最も長い記録層の使用可能な少なくとも１つのスペア領域を特定する手段と、（ｃ）前記手段（ｂ）によって特定した少なくとも１つのスペア領域に含まれる交替領域と交替する手段とを含むことを特徴とする。
【００５３】
好ましい実施形態において、前記情報記録装置は、前記手段（ｂ）によって特定した少なくとも１つのスペア領域のうち、前記欠陥領域からの距離が最も短いスペア領域を特定する手段をさらに含む。
【発明の効果】
【００５４】
本発明によれば、３層以上の記録層を有するため、記録可能なデータ量が増大し、また、表面の傷や汚れによる管理情報の読み取りエラーが生じにくいため、信頼性の高い多層情報記録媒体および情報装置が提供される。
【発明を実施するための最良の形態】
【００５５】
１枚の光ディスクに記録すべきデータ量が増加してきたため、３層以上の記録層を備える多層光ディスクの開発が進めつつあるが、記録層の数が３層以上になると、各記録層の管理情報をどのように扱うかが極めて重要な問題となる。
【００５６】
本発明では、全記録層の管理情報を、データ読出し側表面からの距離が最も短い記録層ではなく、あえて、データ読出し側表面からの距離が最も大きな記録層に記録する。多数の記録層が積層された構成では、データ読出し側表面から離れるほど、光ビームが多くの記録層を横切ることになるため、光透過率が変動する可能性があり、また、特許文献２が記載しているようにチルトの影響も大きくなる。このため、通常であれば、データ読出し側表面からの距離が最も短い記録層に管理情報を記録するか、あるいは、各記録層に重複して管理情報を記録することが好ましいと考えられる。
【００５７】
しかしながら、本発明者の検討によると、チルトの影響はディスク外周側に比べて内周側では小さくなり、管理情報を記録する管理領域をディスク内周側に設ければ、チルトの影響を低減することが可能になるため、管理領域をデータ読出し側表面から離れた記録層に設けても、想定されるほど、支障が生じないことがわかってきた。また、データ読出し側表面からの距離が大きくなるほど、前述したディスク表面の傷や汚れによる影響が低減される効果が強くなるとともに、最も離れた記録層に対しては、フォーカスを引き込みやすいという利点もある。すなわち、フォーカス引き込みのため、フォーカスエラー信号を検知しながら、光ビームの焦点をデータ読出し側表面から奥に移動させるとき、Ｓ字カーブをカウントすることにより、光ビームの焦点が、どの記録層上に位置しているかを検知することが可能であるが、最も手前に位置する記録層を検知するよりも、最も奥に位置する記録層を検知することが容易である。これは、ディスク表面自体がフォーカスエラー信号に小さなＳ字カーブを生じさせる場合があり、何層の記録層を横切ったかのカウントに誤りが発生する場合があるが、最も奥に位置する記録層については、それより奥にＳ字カーブが現れないため、他の記録層よりも高い確度で検知することが可能になる。
【００５８】
以下、図面を参照しながら、本発明の好ましい実施形態を説明する。
【００５９】
（実施形態１）
まず、本発明による多層情報記録媒体および情報装置の第１の実施形態を説明する。
【００６０】
図６を参照する。図６は、本実施形態における多層情報記録媒体６００の領域レイアウトを示している。多層情報記録媒体６００は、８つの記録層６０１、６０２、・・・、６０８を備える。本明細書では、複数の記録層６０１〜６０８のうち、多層情報記録媒体６００のデータ読出し側表面からの距離が長い記録層から順に第１記録層、第２記録層、・・・、第８記録層と称することとする。
【００６１】
本実施形態における記録層６０１〜６０８は、各記録層６０１〜６０８は、公知の相変化型記録材料または有機色素材料からなる記録膜、および反射膜を含む積層構造を有している。多層情報記録媒体６００の断面構成は、図２１に示すように、８層の記録層を支持する少なくとも１つの基板６００ａと、記録層を保護する透明層６００ｂとを備えている。本実施形態における８層の記録層６０１〜６０８は、いずれも、データ読出し側表面からの距離が例えば０μｍ〜１２０μｍの範囲にあり、好ましくは波長４１０ｎｍ以下（具体的には４０５ｎｍ）の光ビームによってデータの再生が行われる。
【００６２】
本実施形態、および、後に説明する他の実施形態における多層情報記録媒体の各記録層は、例えばブルーレイ規格や他の次世代ＤＶＤ規格に従った構造を有している。すなわち、図２１に示すような凹凸構造（ランド／グルーブ構造）が各記録層に存在している。なお、多層情報記録媒体６００は、他の波長の光ビーム（例えば赤色光および／または赤外光）でデータの記録再生が行われる記録層を８層の記録層６０１〜６０８以外に備えていても良い。すなわち、図２２に示すように、データ読出し側表面に相対的に近い位置に８層の記録層を備えるとともに、データ読出し側表面から相対的に遠い位置に長波長のレーザ光によってデータの記録再生が行われ得る他の記録層を備えていても良い。
【００６３】
多層情報記録媒体６００の各記録層６０１〜６０８は、ユーザデータを記録するためのユーザデータ領域６１０を備えている。第１記録層６０１は、内周側から外周側へ向かって配列されたリードイン領域６２０、スペア領域６３０、ユーザデータ領域６１０の一部である第１のユーザデータ領域６１１、スペア領域６３１、およびミドル領域６４１を含む。第２記録層６０２は、外周側から内周側へ向かって配列されたミドル領域６４２、ユーザデータ領域６１０の一部である第２のユーザデータ領域６１２、およびミドル領域６４３を含む。第３から第６記録層は、同様の構成を有している。第７記録層６０７は、内周側から外周側へ向かって配列されたミドル領域６５２、ユーザデータ領域６１０の一部である第７のユーザデータ領域６１７、およびミドル領域６５３を備える。第８記録層６０８は、外周側から内周側へ向かって配列されたミドル領域６５４、ユーザデータ領域６１０の一部である第８のユーザデータ領域６１８、およびリードアウト領域６２７を含む。
【００６４】
第１記録層６０１が備えるリードイン領域６２０は、ディスク情報領域２６と、欠陥管理領域２７とを含んでいる。ディスク情報領域２６および欠陥管理領域２７は、「管理情報」を記録する「管理情報領域」として機能する。本明細書における「管理情報」とは、データの記録再生に必要なパラメータや物理的な特性に関する情報や欠陥管理情報であり、データの記録再生に必要なパラメータや物理的な特性に関する情報は、記録層６０１、６０２、・・・、６０８の各々について個別に推奨された異なる内容を持ち得る。
【００６５】
記録再生に必要なパラメータとは、再生する際の推奨照射パワー情報、記録する際の推奨照射パワー情報、最大照射パワー情報、記録時のパルス幅などである。また、物理的な特性に関する情報とは、ディスク名称、ディスクサイズ、バージョン情報、記録可能な層の総数、再生専用の層の総数、全部の層の総数、転送レート、記録再生方向、物理アドレス開始番号、物理アドレス終了番号、論理アドレス開始番号、論理アドレス終了番号、最短マーク長、記録速度などである。
【００６６】
ミドル領域６２１は、欠陥管理領域２７と、ユーザデータ領域を再生する直前直後におけるトラッキング外れを防止するための所定ビットの情報が記録される領域とを備えている。欠陥管理領域２７は、図２に示されているＤＤＳ２８およびＤＬ２９を含む。
【００６７】
第１記録層６０１のリードイン領域６２０に設けられたディスク情報領域２６には、全ての記録層６０１、６０２、・・・、６０８に関する記録再生に必要なパラメータや物理的な特性に関する情報が記録されている。記録再生に必要なパラメータとは、再生する際の推奨照射パワー情報、記録する際の推奨照射パワー情報、最大照射パワー情報、記録時のパルス幅などである。また、物理的な特性に関する情報とは、ディスク名称、ディスクサイズ、バージョン情報、記録可能な層の総数、再生専用の層の総数、全部の層の総数、転送レート、記録再生方向、物理アドレス開始番号、物理アドレス終了番号、論理アドレス開始番号、論理アドレス終了番号、最短マーク長、記録速度などである。
【００６８】
本実施形態では、ディスク情報領域２６をデータ読出し側表面からの距離が最も長い第１記録層にディスク情報領域を配置することにより、ディスク情報領域２６のデータの信頼性を向上させることが可能となり、信頼性の高い多層記録媒体を提供することができる。
【００６９】
第１記録層６０１のリードイン領域６２０に設けられた欠陥管理領域２７は、全ての記録層６０１、６０２、・・・、６０８の欠陥管理に関する欠陥管理情報を含む。また、欠陥管理領域２７内のＤＬ２９には、全ての記録層６０１、６０２、・・・、６０８の欠陥セクタの位置と、その交替先である交替セクタの位置とが対応付けられ、リストアップされる。データ読出し側表面からの距離が最も長い第１記録層６０１に、欠陥管理領域２７を配置することにより、欠陥管理情報のデータの信頼性を向上することが可能となる。
【００７０】
スペア領域６３０、６３１は、第１記録層６０１に設けられ、全ての記録層６０１、６０２、・・・、６０８の欠陥セクタのスペアセクタを含んでいる。データ読出し側表面からの距離が最も長い第１記録層６０１にスペア領域６３０、６３１を配置することにより、交替セクタのデータの信頼性を向上することが可能となる。
【００７１】
以上説明したように、本実施形態によれば、８層の記録層を有する多層情報記録媒体において、信頼性を高めることができる。なお、本発明は、８層の記録層を有する場合に限られず、３層以上の記録層を備えた全ての情報記録媒体に適用可能である。
【００７２】
本実施形態では、ディスク情報領域２６および欠陥管理領域２７は、第１記録層のみに配置されているが、第１記録層６０１以外の記録層に配置されていてもよい。ただし、信頼性を高めるという観点から、できる限りデータ読出し側表面からの距離が長い記録層に配置するのが望ましい。多層情報記録媒体が（２×Ｎ−１）層または（２×Ｎ）層の記録層（Ｎは２以上の整数）を備える場合、ディスク情報領域２６および欠陥管理領域２７は、第１〜第Ｎ記録層のみに設けられることが好ましい。
【００７３】
スペア領域６３０、６３１は、第１記録層６０１以外の記録層６０２〜６０８の少なくとも１つに配置されていてもよい。信頼性を高めるという観点からは、スペア領域６３０、６３１は、データ読出し側表面からの距離が長い記録層に配置するのが望ましい。多層情報記録媒体が（２×Ｎ−１）層または（２×Ｎ）層の記録層（Ｎは２以上の整数）を備える場合、スペア領域６３０、６３１も、第１〜第Ｎ記録層のみに設けられることが好ましい。スペア領域６３０、６３１は、不可欠ではなく、それらのサイズをそれぞれ０としてもよい。また、外周側に配置されたスペア領域６３１のサイズは拡張可能としてもよい。
【００７４】
さらに、多層情報記録媒体にデータの記録可、および、記録不可を示す保護情報を格納する記録保護情報管理領域を少なくとも第１記録層６０１に配置してもよい。
【００７５】
図７は、本発明による情報装置の実施形態の構成を示す図である。本実施形態の情報装置は、光ディスク記録再生システムである。本記録再生システムは、情報記録再生装置５００およびホストコンピュータ５４０から構成される。
【００７６】
図７の情報記録再生装置５００は、ディスクモータ５０２によって回転させられる多層情報記録媒体６００に対して光学的にアクセス可能な光ヘッド装置（光ピックアップ）を備えている。この光ヘッド装置は、不図示の半導体レーザから放射されたレーザ光（波長：約４０５ｎｍ）を集束するレンズ５０３と、レンズ５０３の位置および姿勢を変化させ得るアクチュエータ５０４と、多層情報記録媒体６００からの反射光を検出する光検出器５０６と、半導体レーザを駆動するレーザ駆動回路５０５と、これらの構成要素を支持する移送台５０７とを備えている。
【００７７】
信号処理部は、図７に示されるプリアンプ５０８、サーボ回路５０９、二値化回路５１０、変復調回路５１１、ＥＣＣ回路５１２、バッファ５１３、ＣＰＵ５１４を備えている。
【００７８】
ＣＰＵ５１４は、内蔵された制御プログラムに従い、内部バス５３４を介して情報記録再生装置５００の全体動作を制御する。また、ＣＰＵ５１４は、移送台５０７のディスク半径方向位置を制御するため、移送台駆動信号５２６を移送台５０７に送出する。
【００７９】
ＣＰＵ５１４からのレーザ発光許可信号５２２により、レーザ駆動回路５０５は半導体レーザを駆動し、レーザ光で多層情報記録媒体６００を照射する。多層情報記録媒体６００からの反射光は、光検出器５０６に入射し、光検出器５０６は反射光に基づいて光検出信号５２３を生成する。プリアンプ５０８は、光検出信号５２３の加減算により、光検出信号５２３からサーボ誤差信号５２４およびアナログデータ信号５２７を生成する。
【００８０】
アナログデータ信号５２７は、二値化回路５１０により、Ａ／Ｄ（アナログ／ディジタル）変換されて二値化データ信号５２８になり、二値化データ信号５２８は変復調回路５１１により復調されて復調データ信号５２９になる。復調データ信号５２９は、ＥＣＣ回路５１２により、誤りのない訂正データ信号５３０となり、バッファ５１３に格納される。
【００８１】
サーボ誤差信号５２４は、サーボ回路５０９によりアクチュエータ駆動信号５２５として、アクチュエータ５０４にフィードバックされる。アクチュエータ５０４は、アクチュエータ駆動信号５２５に基づいてレンズ５０３を駆動し、フォーカシング制御やトラッキング制御が実行される。ディスクモータ５０２の回転状態を示す回転検出信号５２０が、サーボ回路５０９に送られる。サーボ回路５０９からは、ディスクモータ駆動信号５２１も出力され、ディスクモータ５０２の動作はディスクモータ駆動信号５２１によって制御される。
【００８２】
バッファ５１３に格納されたデータは、格納データ信号５３１としてバッファ５１３から出力され、ＥＣＣ回路５１２に入力される。格納データ信号５３１は、ＥＣＣ回路５１２でエラー訂正符号を付加され、符号化データ信号５３２となる。符号化データ信号５３２は、変復調回路５１１によって変調され、変調データ信号５３３となる。レーザ駆動回路５０５は、変調データ信号５３３に基づいてレーザ光のパワーを変調する。
【００８３】
情報記録再生装置５００は、ＤＶＤ−ＲＯＭドライブ等のコンピュータ周辺装置として使用される場合、ホストインタフェース回路を備え、ＳＣＳＩ（Small Computer System Interface）等のホストインタフェースバス５４１を介して、ホストコンピュータ５４０とバッファ５１３の間でデータをやりとりする。一方、ＤＶＤプレーヤー等のコンシューマ機器として使用される場合は、圧縮された動画や音声を伸張又は圧縮するＡＶデコーダ・エンコーダ回路（図示せず）を備え、バッファ５１３とデータをやりとりする。
【００８４】
次に、図８を参照しつつ、情報記録再生装置５００によるディスク情報および欠陥管理情報の取得手順を説明する。
【００８５】
まず、ステップＳ８０１で、ＣＰＵ５１４はサーボ回路５０９に、第１記録層のトラックにレーザ光の焦点を追随させるように命令する。次に、ステップＳ８０２で、ディスク情報が格納されたセクタを再生し、ディスクの記録再生に必要なパラメータや物理的な特性に関する情報を確認する。ステップＳ８０３で、欠陥管理情報が格納されたセクタを再生し、その再生データをバッファ５１３の所定の場所に保持する。
【００８６】
次に、図９を参照して、情報記録再生装置５００による欠陥管理情報の更新手順を説明する。
【００８７】
まず、ステップＳ９０１において、ＣＰＵ５１４は、レーザ光の焦点が第１記録層のトラックに追従中か否かを判定し、第１記録層のトラックに追従中であればステップＳ９０３の処理へ進み、そうでなければステップＳ９０２の処理へ進む。ステップＳ９０２において、ＣＰＵ５１４はサーボ回路５０９に命令して、第１記録層のトラックにレーザ光の焦点を追随させる。ステップＳ９０３において、ＤＤＳ２８とＤＬ２９を含む欠陥管理情報を、欠陥管理領域２７が含むセクタに記録する。
【００８８】
次に、図１０を参照して、情報記録再生装置５００によるスペアセクタの割当処理を説明する。
【００８９】
スペアセクタの割当処理は、多層情報記録媒体６００が有する１つ以上のスペア領域のうち、使用可能な少なくとも１つのスペア領域を特定する処理と、特定した少なくとも１つのスペア領域のうち、欠陥セクタからの距離が最も短いスペア領域を選択する処理とを含む。
【００９０】
まず、ステップＳ１００１において、ＣＰＵ５１４は、多層情報記録媒体６００内に利用可能なスペア領域があるか否かを判定する。利用可能なスペア領域がなければ割当処理不可能と判定して割当処理を終了し、利用可能なスペア領域があればステップＳ１００２の処理へ進む。
【００９１】
ステップＳ１００２において、ＣＰＵ５１４は、欠陥セクタの半径位置が、内周側に配置されたスペア領域に近いか、外周側に配置されたスペア領域に近いかを判定する。欠陥セクタの半径位置が内周側に配置されたスペア領域に近い場合はステップＳ１００３の処理へ進み、外周側に配置されたスペア領域に近い場合はステップＳ１００４の処理へ進む。
【００９２】
ステップＳ１００３において、ＣＰＵ５１４は、内周側に配置されたスペア領域が利用可能か否かを判定する。内周側に配置されたスペア領域が利用可能ならばステップＳ１００５の処理へ進み、そうでなければステップＳ１００６の処理へ進む。
【００９３】
ステップＳ１００４において、ＣＰＵ５１４は、外周側に配置されたスペア領域が利用可能かを判定する。外周側に配置されたスペア領域が利用可能ならばステップＳ１００６の処理へ進み、そうでなければステップＳ１００５の処理へ進む。
【００９４】
ステップＳ１００５において、ＣＰＵ５１４は、第１記録層の内周側に配置されたスペア領域に含まれるスペアセクタを欠陥セクタに割り当てる。
【００９５】
ステップＳ１００６において、ＣＰＵ５１４は、第１記録層の外周側に配置されたスペア領域に含まれるスペアセクタを欠陥セクタに割り当てる。
【００９６】
図１０で示したスペアセクタの割当手順では、できるだけ欠陥セクタのセクタ位置から半径距離が近いスペア領域に含まれるスペアセクタを用いるようにしている。半径距離が近いことにより、移送台５０７の移動を伴う半径方向へのシーク動作時間を短時間にすることができる。できるだけ欠陥セクタのセクタ位置から半径距離が近いスペア領域に含まれるスペアセクタを用いるという目的が達成されるのであれば、異なる割当処理手順であっても構わない。
【００９７】
なお、シーク動作時間を短縮する必要がない場合、可能な限り欠陥セクタのセクタ位置から半径距離が近いスペア領域に含まれるスペアセクタを使用しなくてもよい。
【００９８】
次に、図１１を参照して、スペア領域が第１記録層のみではなく、第１記録層以外の記録層にも配置されている記録情報媒体について、情報記録再生装置５００によるスペアセクタの割当処理を説明する。
【００９９】
スペアセクタの割当処理の最初のステップＳ１１０１において、ＣＰＵ５１４は、多層情報記録媒体６００内に利用可能なスペア領域があるか否かを判定する。利用可能なスペア領域がなければ割当処理不可能と判定して割当処理を終了し、利用可能なスペア領域があればステップＳ１１０２の処理へ進む。
【０１００】
ステップＳ１１０２において、ＣＰＵ５１４は、第１記録層のスペア領域から優先的に使用するため、スペアセクタを探索する記録層を第１記録層にする。
【０１０１】
ステップＳ１１０３において、ＣＰＵ５１４は、スペアセクタを探索する記録層に利用可能なスペア領域があるか否かを判定する。利用可能なスペア領域がなければステップＳ１１０４の処理へ進み、利用可能なスペア領域があればステップＳ１１０５の処理へ進む。
【０１０２】
ステップＳ１１０４において、スペアセクタを探索する記録層を次の層にし、Ｓ１１０３の処理へ進む。
【０１０３】
ステップＳ１１０５において、ＣＰＵ５１４は、欠陥セクタの半径位置が、内周側に配置されたスペア領域に近いか、外周側に配置されたスペア領域に近いかを判定する。欠陥セクタの半径位置が内周側に配置されたスペア領域に近い場合はステップＳ１１０６の処理へ進み、外周側に配置されたスペア領域に近い場合はステップＳ１１０７の処理へ進む。
【０１０４】
ステップＳ１１０６において、ＣＰＵ５１４は、内周側に配置されたスペア領域が利用可能か否かを判定する。内周側に配置されたスペア領域が利用可能ならばステップＳ１１０８の処理へ進み、そうでなければステップＳ１１０９の処理へ進む。
【０１０５】
ステップＳ１１０７において、ＣＰＵ５１４は、外周側に配置されたスペア領域が利用可能かを判定する。外周側に配置されたスペア領域が利用可能ならばステップＳ１１０９の処理へ進み、そうでなければステップＳ１１０８の処理へ進む。
【０１０６】
ステップＳ１１０８において、ＣＰＵ５１４は、スペアセクタを探索する記録層の内周側に配置されたスペア領域に含まれるスペアセクタを欠陥セクタに割り当てる。
【０１０７】
ステップＳ１１０９において、ＣＰＵ５１４は、スペアセクタを探索する記録層の外周側に配置されたスペア領域に含まれるスペアセクタを欠陥セクタに割り当てる。
【０１０８】
図１１に示されるスペアセクタの割当手順では、できるだけデータ読出し側表面からの距離が長い記録層のスペア領域に含まれるスペアセクタのうち、できるだけ欠陥セクタのセクタ位置から半径距離が近いスペア領域に含まれるスペアセクタを用いる。
【０１０９】
データ読出し側表面からの距離が長い記録層にスペア領域を配置することにより、交替セクタのデータの信頼性を向上することができる。また、半径距離を短縮することにより、移送台５０７の移動を伴う半径方向のシーク動作時間を短縮できる。
【０１１０】
本実施形態では、欠陥セクタのセクタ位置から半径距離が近いスペア領域に含まれるスペアセクタを用いるが、例えば、モータの回転速度変更に伴う時間など、その他の要因を考慮して、アクセス時間が最短となるスペアセクタの割当処理手順であってもよい。
【０１１１】
シーク動作時間を短縮する必要がない場合、できるだけ欠陥セクタのセクタ位置から半径距離が近いスペア領域に含まれるスペアセクタを使用しなくてもよい。
【０１１２】
（実施形態２）
次に、本発明による第２の実施形態を説明する。本実施形態の多層情報記録媒体は、追記型の光ディスクである点で、第１の実施形態と異なっている。
【０１１３】
図１２は、本実施形態における多層情報記録媒体１２００の領域レイアウトを示している。多層情報記録媒体１２００は、基本的には図２１に示す構成と同様の構成を有しており、８つの記録層１２０１、１２０２、・・・、１２０８を備える。多層情報記録媒体１２００は、追記型であるため、図３に示す記録管理領域３１０とディスク情報領域３２０を第１記録層に含む。
【０１１４】
多層情報記録媒体１２００の各記録層は、ユーザデータを記録するためのユーザデータ領域１２１０を備える。第１記録層１２０１は、内周側から外周側へ向かって配列されたＲ情報領域１２４０、リードイン領域１２２０、ユーザデータ領域１２１０の一部である第１のユーザデータ領域１２１１、およびミドル領域１２２１を含む。第２記録層１２０２は、外周側から内周側へ向かって配列されたミドル領域１２２２、ユーザデータ領域１２１０の一部である第２のユーザデータ領域１２１２、およびミドル領域１２２３を含む。第３から第６記録層は、同様の構成を有している。第７記録層１２０７は、内周側から外周側へ向かって配列されたミドル領域１２３２、ユーザデータ領域１２１０の一部である第７のユーザデータ領域１２１７、およびミドル領域１２３３を備える。第８記録層１２０８は、外周側から内周側へ向かって配列されたミドル領域１２３４、ユーザデータ領域１２１０の一部である第８のユーザデータ領域１２１８、およびリードアウト領域１２３５を含む。
【０１１５】
第１記録層１２０１に設けられたＲ情報領域１２４０は、ＲＭＡ３１０を含み、ＲＭＡ３１０はＲＭＤから構成される。リードイン領域１２２０は、８つの記録層１２０１〜１２０８に関する管理情報を記録するディスク情報領域３２０を含んでいる。データ読出し側表面からの距離が最も長い第１記録層１２０１にＲ情報領域１２４０を配置することにより、Ｒ情報領域１２４０のデータの信頼性を向上することが可能となる。
【０１１６】
本実施形態では、８層の記録層を備えるが、３層以上の任意の数の記録層を備える場合にも本発明は適用可能である。
【０１１７】
Ｒ情報領域１２４０またはＲＭＤ３１０に、多層情報記録媒体１２００にデータの記録可および記録不可を示す保護情報を格納する記録保護情報管理領域を設けてもよい。
【０１１８】
記録管理データは、ＲＭＤに限定されず、例えばＦＤＣＢやＳＤＣＢなどでもよく、第１記録層１２０１のリードイン領域１２２０に配置してもよい。
【０１１９】
多層情報記録媒体１２００が（２×Ｎ−１）層または（２×Ｎ）層の記録層（Ｎは２以上の整数）を備える場合、記録管理データは第１〜第Ｎ記録層のみに設けられることが好ましい。
【０１２０】
次に、図１３を参照し、図７の情報記録再生装置５００によって多層情報記録媒体１２００のＲＭＡ３１０から記録管理データ（ＲＭＤ）を取得する手順を説明する。
【０１２１】
まず、ステップＳ１３０１で、ＣＰＵ５１４はサーボ回路５０９に第１記録層１２０１のトラックにレーザ光の焦点を追随させるように命令する。
【０１２２】
ステップＳ１３０２で、ＲＭＡ３１０の記録済み領域終端を探索する。情報記録再生装置５００は、多層記録媒体からの再生信号等を基に記録済み領域か未記録領域かを順に判定し、記録済み領域と未記録領域の境界を探索する。
【０１２３】
ステップＳ１３０３で、記録装置は記録済み領域の最終領域が最新のＲＭＤであると判断して読み出し処理を実行する。多層記録媒体から読み出した最新のＲＭＤ領域の内容を基に、多層記録媒体上の全ての追記可能なアドレスを取得し、バッファ５１３の所定の場所に保持する。
【０１２４】
次に図１４を参照し、図７の情報記録再生装置５００によって記録管理データＲＭＤを更新する手順を説明する。
【０１２５】
まず、ステップＳ１４０１において、ＣＰＵ５１４は、レーザ光の焦点が第１記録層１２０１のトラックに追従中か否かを判定し、第１記録層１２０１のトラックに追従中であればステップＳ１４０３の処理へ進み、そうでなければステップＳ１４０２の処理へ進む。
【０１２６】
ステップＳ１４０２において、ＣＰＵ５１４はサーボ回路５０９に命令して、第１記録層１２０１のトラックにレーザ光の焦点を追随させる。
【０１２７】
ステップＳ１４０３において、ＲＭＡ３１０内の未記録領域先頭領域、即ち、最新のＲＭＤの直後の領域に、更新するＲＭＤを記録する。
【０１２８】
（実施形態３）
次に、図１５を参照しながら、本発明の第３の実施形態を説明する。本実施形態の多層情報記録媒体は、データ読出し側表面から最も離れた記録層にスペア領域を備える点で、第２の実施形態と異なっている。
【０１２９】
図１５は、本実施形態における多層情報記録媒体１５００の領域レイアウトを示している。多層情報記録媒体１５００は、基本的には図２１に示す構成と同様の構成を有しており、８つの記録層１５０１、１５０２、・・・、１５０８を備える。多層情報記録媒体１５００は、図４に示すディスク情報領域４２０と欠陥管理領域４３０管理作業領域群４４０を第１記録層に含む追記型の多層情報記録媒体である。
【０１３０】
多層情報記録媒体１５００の各記録層は、ユーザデータを記録するためのユーザデータ領域１５１０を備える。第１記録層１５０１は、内周側から外周側へ向かって配列されたリードイン領域１５２０、スペア領域１５３０、ユーザデータ領域１５１０の一部である第１のユーザデータ領域１５１１、スペア領域１５３１、およびミドル領域１５２１を含む。第２記録層１５０２は、外周側から内周側へ向かって配列されたミドル領域１５２２、ユーザデータ領域１５１０の一部である第２のユーザデータ領域１５１２、およびミドル領域１５２３を含む。第３から第６記録層は、同様の構成を有している。第７記録層１５０７は、内周側から外周側へ向かって配列されたミドル領域１５３２、ユーザデータ領域１５１０の一部である第７のユーザデータ領域１５１７、およびミドル領域１５３３を備える。第８記録層１５０８は、外周側から内周側へ向かって配列されたミドル領域１５３４、ユーザデータ領域１５１０の一部である第８のユーザデータ領域１５１８、およびリードアウト領域１５３５を含む。
【０１３１】
第１記録層１５０１が備えるリードイン領域１５２０は、８つの記録層１５０１〜１５０８に関する管理情報を記録するディスク情報領域４２０と、欠陥管理領域４３０と、欠陥管理作業領域群４４０とを含んでいる。ミドル領域１５２１は、欠陥管理領域４３０を含んでいる。欠陥管理領域４３０は、図４に示すＤＤＳ４３１とＤＬ４３２とを含む。
【０１３２】
欠陥管理作業領域群４４０は、第１記録層１５０１に設けられ、全ての記録層１５０１、１５０２および１５０３の欠陥管理に関する一時的な欠陥管理情報を含む。データ読出し側表面からの距離が最も長い第１記録層に一時的な欠陥管理情報を配置することにより、欠陥管理情報のデータの信頼性を向上することが可能となり、信頼性の高い多層記録媒体を提供することができる。
【０１３３】
本実施形態では、８層の記録層を備える場合について説明したが、３層以上の記録層を備えた全ての情報記録媒体についても本発明を適用することができる。
【０１３４】
ディスク情報領域４２０、欠陥管理領域４３０、欠陥管理作業領域群４４０は、第１記録層１５０１のみに配置されているが、第１記録層１５０１以外の記録層に配置されていてもよい。多層情報記録媒体１５００が（２×Ｎ−１）層または（２×Ｎ）層の記録層（Ｎは２以上の整数）を備える場合、ディスク情報領域４２０、欠陥管理領域４３０、欠陥管理作業領域群４４０は、第１〜第Ｎ記録層のみに設けられることが好ましい。
【０１３５】
なお、スペア領域１５３０、１５３１については、第１の実施形態について説明したことがそのまま本実施形態でも成立する。
【０１３６】
次に、図１６を参照しながら、図７の情報記録再生装置５００によって多層情報記録媒体１５００のＴＤＭＡ４４０から欠陥情報の取得手順を説明する。
【０１３７】
まず、ステップＳ１６０１で、ＣＰＵ５１４はサーボ回路５０９に、第１記録層１５０１のトラックにレーザ光の焦点を追随させるように命令する。
【０１３８】
ステップＳ１６０２で、ＴＤＭＡ４４０の記録済み領域終端を探索する。情報記録再生装置５００は、多層情報記録媒体１５００からの再生信号等を基に記録済み領域か未記録領域かを順に判定し、記録済み領域と未記録領域の境界を探索する。
【０１３９】
ステップＳ１６０３で、情報記録再生装置５００は記録済み領域の最終領域が最新のＴＤＭＳ４４１（図４）であると判断し、読み出し処理を実行する。多層情報記録媒体１５００から読み出した最新のＴＤＭＳの内容を基に、欠陥情報を取得し、バッファ５１３の所定の場所に保持する。
【０１４０】
図１７を参照して、情報記録再生装置５００によってＴＤＭＡの欠陥情報を更新する手順を説明する。
【０１４１】
まず、ステップＳ１７０１において、ＣＰＵ５１４は、レーザ光の焦点が第１記録層１５０１のトラックに追従中か否かを判定し、第１記録層１５０１のトラックに追従中であればステップＳ１７０３の処理へ進み、そうでなければステップＳ１７０２の処理へ進む。
【０１４２】
ステップＳ１７０２において、ＣＰＵ５１４はサーボ回路５０９に命令して、第１記録層のトラックにレーザ光の焦点を追随させる。
【０１４３】
ステップＳ１７０３において、ＴＤＭＡ４４０内の未記録領域先頭領域、即ち、最新のＴＤＭＳ４４１（図４）の直後の領域に、更新する欠陥情報を記録する。
【０１４４】
（実施形態４）
以下、図１８を参照しながら、本発明の第４の実施形態を説明する。本実施形態の多層情報記録媒体は、ＰＣデータをＡＶデータに比べてデータ読出し側表面から相対的に離れた記録層に記録する点で、第３の実施形態と異なっている。
【０１４５】
図１８は、本実施形態における多層情報記録媒体１８００の領域レイアウトを示している。多層情報記録媒体１８００は、基本的には図２１に示す構成と同様の構成を有しており、８つの記録層１８０１、１８０２・・・、１８０８を備える。
【０１４６】
多層情報記録媒体１８００の各記録層は、ユーザデータを記録するためのユーザデータ領域１８１０を備える。第１記録層１８０１は、内周側から外周側へ向かって配列されたリードイン領域１８２０、ユーザデータ領域１８１０の一部である第１のユーザデータ領域１８１１、およびミドル領域１８２１を含む。第２記録層１８０２は、外周側から内周側へ向かって配列されたミドル領域１８２２、ユーザデータ領域１８１０の一部である第２のユーザデータ領域１８１２、およびミドル領域１８２３を含む。第３から第６記録層は、同様の構成を有している。第７記録層１８０７は、内周側から外周側へ向かって配列されたミドル領域１８３２、ユーザデータ領域１８１０の一部である第７のユーザデータ領域１８１７、およびミドル領域１８３３を備える。第８記録層１８０８は、外周側から内周側へ向かって配列されたミドル領域１８３４、ユーザデータ領域１８１０の一部である第８のユーザデータ領域１８１８、およびリードアウト領域１８３５を含む。
【０１４７】
第１記録層１８０１に設けられたリードイン領域１８２０は、８つの記録層１８０１〜１８０８に関する管理情報を記録するディスク情報領域４２０を含んでいる。また、第１記録層１８０１のユーザデータ領域１８１１、および、第２記録層１８０２のユーザデータ領域１８１２の途中までは、高い信頼性が要求されるデータ（ＰＣデータ）が記録されている。一方、第２記録層１８０２のユーザデータ領域１８１２の途中から第８記録層１８０８のユーザデータ領域１８１８には、ＰＣデータに比べた相対的に低い信頼性しか要求されないデータ（音響映像データ：ＡＶデータ）が記録される。なお、ＰＣデータはコンピュータ記録用のデータであり、例えば、データファイルや、ファイル管理情報、番組管理情報などである。ＡＶデータは、例えばビデオ記録データやオーディオ記録データなどである。
【０１４８】
本実施形態では、わずかの誤りも許容されないＰＣデータをデータ読出し側表面からの距離が相対的に長い記録層に記録し、ＰＣデータに比べて信頼性を重要としないＡＶデータをデータ読出し側表面からの距離が相対的に短い記録層に記録することにより、多層情報記録媒体の信頼性を高めている。
【０１４９】
なお、ＰＣデータは、多層情報記録媒体１８００のデータ読出し側表面からの距離が、ＡＶデータが記録される記録層に比べて短くない記録層に記録されていればよい。従って、ＰＣデータが第１記録層１８０１のユーザデータ領域１８１１から第７記録層のユーザデータ領域１８１７まで記録され、ＡＶデータが第８記録層１８０８のユーザデータ領域１８１８に記録されてもよい。
【０１５０】
本実施形態では、すべての記録層にＰＣデータおよびＡＶデータの少なくとも一方が記録されているが、使用されないユーザデータ領域は未記録のままでもよいし、または、ダミーデータが記録されていてもよい。
【０１５１】
次に、図１９を参照しながら、本実施形態の動作を説明する。図１９は、第１の記録手順を説明するフローチャートである。
【０１５２】
まず、ステップＳ１９０１において、多層情報記録媒体１８００のユーザデータ領域１８１０に記録すべきデータ（以下「記録データ」と称する。）がＰＣデータであるか、ＡＶデータであるかを判定する。本実施形態では、記録データがデータファイル、ファイル管理情報、番組管理情報などである場合は、そのデータを「ＰＣデータ」であると判定する。一方、記録データがビデオ記録データやオーディオ記録データである場合は、そのデータを「ＡＶデータ」と判定する。このような判定は、図７のホストコンピュータ５４０によって行うことが可能である。
【０１５３】
記録データがＰＣデータである場合、ステップＳ１９０２の処理へ進み、ＡＶデータである場合には、ステップＳ１９０６の処理へ進む。ステップＳ１９０２において、記録領域を探索する記録層としてデータ読出し側表面からの距離が長い第１記録層１８０１を選択する。ステップＳ１９０３において、記録領域を探索する記録層に利用可能な記録領域があるか否かを判定する。利用可能な記録領域がなければステップＳ１９０４の処理へ進み、利用可能な記録領域があればステップＳ１９１０の処理へ進む。
【０１５４】
ステップＳ１９０４において、探索記録層より１つ手前の記録層があるか判定する。１つ手前の記録層がない場合には、記録処理不可能と判定して記録処理を終了し、記録層がある場合にはステップＳ１９０５に進む。ステップＳ１９０５において、記録領域を探索する記録層を１つ手前の記録層にし、Ｓ１９０３の処理へ進む。
【０１５５】
ステップＳ１９０６において、記録領域を探索する記録層としてデータ読出し側表面からの距離が短い最終記録層（第８記録層１８０８）を選択する。ステップＳ１９０７において、記録領域を探索する記録層に利用可能な記録領域があるか否かを判定する。利用可能な記録領域がなければステップＳ１９０８の処理へ進み、利用可能な記録領域があればステップＳ１９１０の処理へ進む。
【０１５６】
ステップＳ１９０８において、探索記録層より１つ奥の記録層があるか判定する。１つ奥の記録層がない場合には、記録処理不可能と判定して記録処理を終了し、記録層がある場合にはステップＳ１９０９に進む。ステップＳ１９０９において、記録領域を探索する記録層を１つ奥の記録層にし、Ｓ１９０７の処理へ進む。
【０１５７】
ステップＳ１９１０において、記録領域を割り当て、ステップＳ１９１１において情報記録再生装置５００に記録処理を実行させる。ホストコンピュータ５４０は、多層情報記録媒体１８００にデータの記録をさせる場合、インタフェースプロトコルにしたがって、それらを指示するコマンドを記録再生装置５００に送出する。
【０１５８】
次に、図２０を参照して、第２の記録手順を説明する。
【０１５９】
まず、ステップＳ２００１において、ＰＣデータを記録するためのＰＣデータ領域と、ＡＶデータを記録するためのＡＶ記録領域の割り当てを行う。このとき、ＰＣデータ領域はＡＶデータ領域よりもデータ読出し側表面からの距離が短くない記録層に割り当てる。例えば、ホストコンピュータ５４０によって、ＰＣデータ領域とＡＶデータ領域の割り当ては、記録するすべてのデータのＰＣデータの記録サイズ、および、ＡＶデータの記録サイズからＰＣデータ領域、および、ＡＶデータ領域を算出し割り当てる。
【０１６０】
次に、ステップＳ２００２において、前述した方法に従って記録データがＰＣデータであるか、ＡＶデータであるか判定する。記録データがＰＣデータである場合は、ステップＳ２００３の処理へ進み、ＡＶデータである場合にはステップＳ２００５の処理へ進む。
【０１６１】
ステップＳ２００３において、ＰＣデータ領域に利用可能な記録領域があるか否かを判定する。利用可能な記録領域があればステップＳ２００４の処理へ進み、利用可能な記録領域がなければ記録処理不可能と判定して記録処理を終了する。
【０１６２】
ステップＳ２００４においてＰＣデータ領域に記録領域を割り当て、ステップＳ２００７に進む。ＰＣデータ領域には、データ読出し側表面からの距離が長い記録層の内周、または、外周側から順に記録領域を割り当てることができる。また、ＰＣデータ領域の内で、データ読出し側表面からの距離が短い記録層の内周、または、外周側から順に記録領域を割り当ててもよいし、ＰＣデータ領域の内にランダムに割り当ててもよい。
【０１６３】
ステップＳ２００５では、ＡＶデータ領域に利用可能な記録領域があるか否かを判定する。利用可能な記録領域があればステップＳ２００６の処理へ進み、利用可能な記録領域がなければ記録処理不可能と判定して記録処理を終了する。
【０１６４】
ステップＳ２００６において、ＡＶデータ領域に記録領域を割り当て、ステップＳ２００７に進む。ＡＶデータ領域には、データ読出し側表面からの距離が短い記録層の内周、または、外周側から順に記録領域を割り当てる。また、ＡＶデータ領域の内で、データ読出し側表面からの距離が長い記録層の内周、または、外周から順に記録領域を割り当ててもよい。また、ＡＶデータ領域の内にランダムに割り当ててもよい。
【０１６５】
ステップＳ２００７では、情報記録再生装置５００に記録処理を実行させる。ホストコンピュータ５４０は、記録再生装置５００にインタフェースプロトコルにしたがって、それらを指示するコマンドを送出する。
【０１６６】
ステップＳ２００３において、利用可能な記録領域がなければ記録処理不可能と判定して記録処理を終了する代わりに、再度ＰＣデータ領域を割り当て、その領域に記録領域を割り当てるようにしてもよい。また、ＡＶデータ領域を縮小させ、ＰＣデータ領域を割り当て、その領域に記録領域を割り当てるようにしてもよい。
【０１６７】
同様にステップＳ２００５においては、利用可能な記録領域がなければ記録処理不可能と判定して記録処理を終了する代わりに、再度ＡＶデータ領域を割り当て、その領域に記録領域を割り当てるようにしてもよい。また、ＰＣデータ領域を縮小させ、ＡＶデータ領域を割り当て、その領域に記録領域を割り当てるようにしてもよい。
【０１６８】
すべての記録が終了した場合などに、使用しないＰＣデータ領域、および、ＡＶデータ領域にダミーデータを記録してもよい。
【０１６９】
以上説明したように、本実施形態によれば、多層情報記録媒体において、ＰＣデータをデータ読出し側表面からの距離が相対的に長い記録層のユーザデータ領域に記録し、ＡＶデータをデータ読出し側表面からの距離が相対的に短い記録層のユーザデータ領域に記録することにより、信頼性の高い多層記録媒体を提供することができる。
【０１７０】
記録層の数は８つに限定されず、３以上であればよい。ＰＣデータをデータ読出し側表面からの距離が長い記録層のユーザデータ領域に記録し、ＡＶデータをデータ読出し側表面からの距離が短い記録層のユーザデータ領域に記録する目的が達成されるのであれば、上記の記録処理手順と異なる手順を採用してもよい。
【０１７１】
なお、上記の実施形態１〜４は任意に組み合わせて実施することが可能である。
【産業上の利用可能性】
【０１７２】
本発明の多層情報記録媒体および情報装置は、光ディスクレコーダやＰＣ用光ディスクドライブなどに適用され得る。
【図面の簡単な説明】
【０１７３】
【図１】記録層を２つ持つ光ディスクの再生原理を示す図である。
【図２】従来の書換え型光ディスクが備える記録層の領域レイアウトを示す図である。
【図３】従来の追記型光ディスクであるＤＶＤ−Ｒが備える記録層の領域レイアウトを示す図である。
【図４】欠陥管理情報を含む従来の追記型光ディスクの記録層の領域レイアウトを示す図である。
【図５】ディスク表面に傷がある２層光ディスクを示す図である。
【図６】本発明の実施形態１における多層情報記録媒体の領域レイアウトを示す図である。
【図７】本発明の実施形態１における記録再生システムの一構成例を示すブロック図である。
【図８】本発明の実施形態１における情報記録再生装置のディスク情報、および、欠陥管理情報の取得手順を説明するフローチャートである。
【図９】本発明の実施形態１における情報記録再生装置の欠陥管理情報の更新手順を説明するフローチャートである。
【図１０】本発明の実施形態１における情報記録再生装置のスペアセクタの割当処理を説明するフローチャートである。
【図１１】本発明の実施形態１における情報記録再生装置のスペア領域が第１記録層のみではなく、第１記録層以外の記録層にも配置されている記録情報媒体のスペアセクタの割当処理を説明するフローチャートである。
【図１２】本発明の実施形態２における多層情報記録媒体の領域レイアウトを示す図である。
【図１３】本発明の実施形態２における情報記録再生装置のＲＭＡから記録管理データＲＭＤの取得手順を説明するフローチャートである。
【図１４】本発明の実施形態２における情報記録再生装置の記録管理データＲＭＤの更新手順を説明するフローチャートである。
【図１５】本発明の実施形態３における多層情報記録媒体の領域レイアウトを示す図である。
【図１６】本発明の実施形態３における情報記録再生装置のＴＤＭＡから欠陥情報の取得手順を説明するフローチャートである。
【図１７】本発明の実施形態３における情報記録再生装置のＴＤＭＡの欠陥情報の更新手順を説明するフローチャートである。
【図１８】本発明の実施形態４における多層情報記録媒体の領域レイアウトを示す図である。
【図１９】本発明の実施形態４におけるホストコンピュータの記録手順を説明するフローチャートである。
【図２０】本発明の実施形態４における他の動作例を示すフローチャートである。
【図２１】本発明による多層情報記録媒体の断面構成例を模式的に示す図である。
【図２２】本発明による多層情報記録媒体の他の断面構成例を模式的に示す図である。
【符号の説明】
【０１７４】
２１    記録層
２２    リードイン領域
２３    スペア領域
２４    ユーザデータ領域
２５    リードアウト領域
２６    ディスク情報領域
２７    欠陥管理領域
２８    ＤＤＳ
２９    ＤＬ
３０１    記録層
３０２    Ｒ−Ｉｎｆｏ
３０３    リードイン領域
３０４    ユーザデータ領域
３０５    リードアウト領域
３１０    記録管理領域
３１１    ＲＭＤ
３２０    ディスク情報領域
４０１    記録層
４０２    リードイン領域
４０３    スペア領域
４０４    ユーザデータ領域
４０５    リードアウト領域
４２０    ディスク情報領域
４３０    欠陥管理領域
４３１    ＤＤＳ
４３２    ＤＬ
４４０    欠陥管理作業領域群
４４１    欠陥管理作業領域
４４２    ＴＤＬ
４４３    ＴＤＤＳ
５０２    ディスクモータ
５０３    レンズ
５０４    アクチュエータ
５０５    レーザ駆動回路
５０６    光検出器
５０７    移送台
５０８    プリアンプ
５０９    サーボ回路
５１０    二値化回路
５１１    変復調回路
５１２    ＥＣＣ回路
５１３    バッファ
５１４    ＣＰＵ
５２０    回転検出信号
５２１    ディスクモータ駆動信号
５２２    レーザ発光許可信号
５２３    光検出信号
５２４    サーボ誤差信号
５２５    アクチュエータ駆動信号
５２６    移送台駆動信号
５２７    アナログデータ信号
５２８    二値化データ信号
５２９    復調データ信号
５３０    訂正データ信号
５３１    格納データ信号
５３２    符号化データ信号
５３３    変調データ信号
５３４    内部バス
６００    多層情報記録媒体
６０１    第１記録層
６０２    第２記録層
６０３    第３記録層
６０４    第４記録層
６０５    第５記録層
６０６    第６記録層
６０７    第７記録層
６０８    第８記録層
６１０    ユーザデータ領域
６１１    第１のユーザデータ領域
６１２    第２のユーザデータ領域
６１３    第３のユーザデータ領域
６１４    第４のユーザデータ領域
６１５    第５のユーザデータ領域
６１６    第６のユーザデータ領域
６１７    第７のユーザデータ領域
６１８    第８のユーザデータ領域
６２０    リードイン領域
６２７    リードアウト領域
６３０、６３１    スペア領域
６４１、６４２、６４３、６４４、６４５、６４６、６４７、６４８、６４９、６５０、６５１、６５２、６５３、６５４    ミドル領域
１２００    多層情報記録媒体
１２０１    第１記録層
１２０２    第２記録層
１２０３    第３記録層
１２０４    第４記録層
１２０５    第５記録層
１２０６    第６記録層
１２０７    第７記録層
１２０８    第８記録層
１２１０    ユーザデータ領域
１２１１    第１のユーザデータ領域
１２１２    第２のユーザデータ領域
１２１３    第３のユーザデータ領域
１２１４    第４のユーザデータ領域
１２１５    第５のユーザデータ領域
１２１６    第６のユーザデータ領域
１２１７    第７のユーザデータ領域
１２１８    第８のユーザデータ領域
１２２０    リードイン領域
１２４０    Ｒ情報領域
１２２１、１２２２、１２２３、１２２４、１２２５、１２２６、１２２７、１２２８、１２２９、１２３０、１２３１、１２３２、１２３３、１２３４    ミドル領域
１２３５    リードアウト領域
１５００    多層情報記録媒体
１５０１    第１記録層
１５０２    第２記録層
１５０３    第３記録層
１５０４    第４記録層
１５０５    第５記録層
１５０６    第６記録層
１５０７    第７記録層
１５０８    第８記録層
１５１０    ユーザデータ領域
１５１１    第１のユーザデータ領域
１５１２    第２のユーザデータ領域
１５１３    第３のユーザデータ領域
１５１４    第４のユーザデータ領域
１５１５    第５のユーザデータ領域
１５１６    第６のユーザデータ領域
１５１７    第７のユーザデータ領域
１５１８    第８のユーザデータ領域
１５２０    リードイン領域
１５３０、１５３１    スペア領域
１５２１、１５２２、１５２３、１５２４、１５２５、１５２６、１５２７、１５２８、１５２９、１５３０、１５３１、１５３２、１５３３、１５３４    ミドル領域
１５３５    リードアウト領域
１８００    多層情報記録媒体
１８０１    第１記録層
１８０２    第２記録層
１８０３    第３記録層
１８０４    第４記録層
１８０５    第５記録層
１８０６    第６記録層
１８０７    第７記録層
１８０８    第８記録層
１８１０    ユーザデータ領域
１８１１    第１のユーザデータ領域
１８１２    第２のユーザデータ領域
１８１３    第３のユーザデータ領域
１８１４    第４のユーザデータ領域
１８１５    第５のユーザデータ領域
１８１６    第６のユーザデータ領域
１８１７    第７のユーザデータ領域
１８１８    第８のユーザデータ領域
１８２０    リードイン領域
１８２１、１８２２、１８２３、１８２４、１８２５、１８２６、１８２７、１８２８、１８２９、１８３０、１８３１、１８３２、１８３３、１８３４    ミドル領域
１８３５    リードアウト領域
【図１】
2007012248.tif 000003
【図２】
2007012248.tif 000004
【図３】
2007012248.tif 000005
【図４】
2007012248.tif 000006
【図５】
2007012248.tif 000007
【図６】
2007012248.tif 000008
【図７】
2007012248.tif 000009
【図８】
2007012248.tif 000010
【図９】
2007012248.tif 000011
【図１０】
2007012248.tif 000012
【図１１】
2007012248.tif 000013
【図１２】
2007012248.tif 000014
【図１３】
2007012248.tif 000015
【図１４】
2007012248.tif 000016
【図１５】
2007012248.tif 000017
【図１６】
2007012248.tif 000018
【図１７】
2007012248.tif 000019
【図１８】
2007012248.tif 000020
【図１９】
2007012248.tif 000021
【図２０】
2007012248.tif 000022
【図２１】
2007012248.tif 000023
【図２２】
2007012248.tif 000024